(57)【要約】【課題】空気調和機用室内機等の空気熱交換器における伝熱フィン切り起し部等の凝縮水の流下を促進し、滞留を防止する。【解決手段】  伝熱管と、該伝熱管に対してクロスする状態で並設された伝熱フィンと、該伝熱フィンの伝熱面に設けられた切起し片とからなる熱交換器であって、上記各切起し片の下部に排水用の水ガイド部をを設け、同リブをガイドとして凝縮水の流下を促進するようにした。【選択図】        図６
2010255974.tif 000002
【特許請求の範囲】
【請求項１】
伝熱管と、該伝熱管に対してクロスする状態で複数枚並設された伝熱フィンと、該伝熱フィンの伝熱面に設けられた切起し片とからなる熱交換器であって、上記切起し片の下端部に排水用の水ガイド部を設けたことを特徴とする熱交換器。
【請求項２】
水ガイド部は、複数の切起し片下端部の直下に沿って伝熱フィンの前縁側および後縁側両方向に延びて設けられていることを特徴とする請求項１記載の熱交換器。
【請求項３】
水ガイド部は、複数の切起し片の各下端部の両脇部分にあって、複数の切起し片の下端部同士を伝熱フィンの前縁側および後縁側方向に相互に連続させるように設けられていることを特徴とする請求項１記載の熱交換器。
【請求項４】
伝熱フィンの前縁部又は後縁部もしくはそれらの両縁部にも、上下方向に延びる排水用の水ガイド部を設け、切起し片下端部に設けられた水ガイド部を、同上下方向に延びる水ガイド部に連続させたことを特徴とする請求項１，２又は３記載の熱交換器。
【請求項５】
水ガイド部は、伝熱フィンの片面側に設けられていることを特徴とする請求項１，２，３又は４記載の熱交換器。
【請求項６】
水ガイド部は、伝熱フィンの両面側に設けられていることを特徴とする請求項１，２，３又は４記載の熱交換器。
【請求項７】
水ガイド部は、少なくとも伝熱フィンの一側面側に形成され、毛細管作用により伝熱フィン面の凝縮水を吸引ガイドして重力方向に流下させる凹溝部を有して形成されていることを特徴とする請求項１，２，３，４，５又は６記載の熱交換器。
【請求項８】
水ガイド部は、少なくとも伝熱フィンの一側面側が凹部、他側面側が凸部のリブよりなることを特徴とする請求項１，２，３，４，５，６又は７記載の熱交換器。
【請求項９】
切起し片が、スリットであることを特徴とする請求項１，２，３，４，５，６，７又は８記載の熱交換器。
【請求項１０】
切起し片が、ルーバーであることを特徴とする請求項１，２，３，４，５，６，７又は８記載の熱交換器。
【請求項１１】
当該熱交換器が、空気調和機用室内機の熱交換器であることを特徴とする請求項１，２，３，４，５，６，７，８，９又は１０記載の熱交換器。
【発明の詳細な説明】
【技術分野】
【０００１】
本願発明は、空気調和機用室内機等の熱交換器の構造に関するものである。
【背景技術】
【０００２】
例えば空気調和機用室内機の熱交換器としては、一般にクロスフィンコイル型の空気熱交換器が採用されており、冷房運転時に熱交換器（蒸発器）表面で生じた凝縮水は、重力により当該熱交換器のフィン表面に沿って流下し、その下方に設けられているドレンパン部分に集められて室外に排出されるようになっている（例えば特許文献１を参照）。
【０００３】
今、このような熱交換器を備えて構成された従来の空気調和機用室内機の構成を図４３〜図４６に示す。
【０００４】
すなわち、この従来例では、上方側から下方側にλ字状に折り曲げられた所謂ラムダ形の空気熱交換器１とクロスフローファン３１とを用いて上面側および前面側吸込み、斜め下方吹きの壁掛け型空気調和機用室内機を構成しており、符号２０は、当該空気調和機用室内機の本体ケーシングである。該本体ケーシング２０は、その背面側パネル部分が当該部屋の壁面に当接するようにして、同壁面に設置されるようになっている。
【０００５】
そして、上記本体ケーシング２０の前面側から上面側には、空気吸込口２５が設けられ、その内側にはラムダ型の空気熱交換器１とクロスフローファン３１が設けられている。
【０００６】
ラムダ型の空気熱交換器１は、前部側熱交部１Ａと後部側熱交部１Ｂとからなり、それらの内側下方にクロスフローファン３１を設けて設置されている。クロスフローファン３１は、スクロール構造の温調用送風通路３０を介して上記本体ケーシング２０の前面側底部の空気吹出口２９から斜め下方に温調空気を吹出すようになっている。
【０００７】
上記空気熱交換器１は、その前部側熱交部１Ａおよび後部側熱交部１Ｂ各々の下端を各々ドレンパン２８ａ，２８ｂ内に固定することによって支持されている。
【０００８】
上記空気熱交換器１の各熱交部１Ａ，１Ｂは、例えば図４４に示されるように、それぞれ上下方向に所定の間隔を保って配設された複数本の伝熱管２，２・・・と、該伝熱管２，２・・・の各々に対して所定のピッチを保って多数枚嵌装並設された伝熱フィン３，３・・・と、該伝熱フィン３，３・・・の伝熱面上の各伝熱管２，２・・・間の上下スペース領域において設けられた前後方向に複数列のスリット４ａ，４ｂ，４ｃ，４ｄよりなる切り起し片（図４４参照）と、上記伝熱フィン３，３・・・並設方向の両端側に設けられた図示しない管板とから構成されている。
【０００９】
そして、上記上下伝熱管２，２間の上記スリット４ａ，４ｂ，４ｃ，４ｄは、例えば空気流Ｆの上流側から下流側（図示左側から右側）にかけて、両端側のもの４ａ，４ｄが長く、中間のもの４ｂ，４ｃが短かいスリットに形成され、それらの間に形成された円形のスペース部にフィンカラー３ａを設けて伝熱管２，２・・・を嵌挿するようになっている。
【００１０】
したがって、該構成の場合、例えば冷房又は暖房運転時において、送風手段である上記クロスフローファン３１が駆動されると、上記空気吸込口２５から室内の空気が吸込まれ、上記全体としてラムダ形状で熱交面積が大きく、しかも空気吸込領域が広い上述のような空気熱交換器１を介して低圧損で均一かつ効果的に熱交換された温調空気（冷気又は暖気）が、前面部下方の空気吹出口２９から吹き出され、同温調空気が下方に降下して行くことによってユーザーに対する快適な冷房又は暖房空調環境が実現される。
【００１１】
そして、このような空気調和機用室内機に適用された上記空気熱交換器１では、特に同熱交換器１が蒸発器となる冷房運転時の場合、上記伝熱フィン３，３・・・の伝熱面上で空気中の水分が凝縮し、同伝熱面上に多数の結露が生じるとともに、それらがフィン間および上記スリット４ａ，４ｂ，４ｃ，４ｄ部分に付着し滞留する。
【００１２】
これら冷房運転時に熱交換器１の表面で生じた凝縮水は、運転停止後もフィン間、特にスリット４ａ，４ｂ，４ｃ，４ｄ間およびフィンカラー下部に滞留し、残存しやすい。そして、これらの滞留、残存水がフィン表面への環境浮遊物の付着や、菌の繁殖、あるいはフィンの腐食などを引き起こし、親水性の劣化や臭いの発生の原因となる。
【００１３】
これらの事情は、例えば上記図４４に示すような上下方向に単一のスリット４ａ〜４ｄを前後方向に複数列設置した伝熱フィン３の場合だけでなく、例えば図４５に示すような上下分割型のスリット４ａ，４ａ，４ｂ，４ｃ，４ｄ，４ｄを設けた伝熱フィン３の場合、また例えば図４６に示すような複数列のルーバー１０を備えたルーバーフィン３の場合にも全く同様である。
【００１４】
もちろん、同構成の場合、上記空気熱交換器１の前後各熱交部１Ａ，１Ｂは、例えば図４３からも明らかなように、略鉛直状態に近い極めて小さな傾斜角（水平方向を最大として）で設置されている。
【００１５】
したがって、それら凝縮水は、重力によつて可能な限りフィン面に沿って下方に流され、ドレンパン２８ａ，２８ｂ内に集められるようになっている
【先行技術文献】
【特許文献】
【００１６】
【特許文献１】特開２００４−３５３９１４号公報（明細書１−１３頁、図１−４）
【発明の概要】
【発明が解決しようとする課題】
【００１７】
しかし、実際には上記伝熱フィン３，３・・・のフィンピッチが狭いことや、またフィン面の親水性の低下などにより、仮に熱交換器自体が鉛直に近い図示のような起立状態に設置されている場合であっても、上記フィン間および切起し片部分に滞留する凝縮水が長時間流下しにくいのが実情である。
【００１８】
また、空気調和機用室内機の機種によっては、その構造上、空気熱交換器が主要部を鉛直方向から下向きに傾けて設置されているものがあり、そのような場合、重力の作用がフィン上下方向（長手方向）および切起し片上下方向に作用しにくいことに加えて、重力の向きと風の向きが逆になるため、上述した凝縮水の挙動自体が不安定となり、空気吹出口からの水飛びにもつながる。
【００１９】
本願発明は、このような問題を解決するためになされたもので、伝熱管と、該伝熱管に対してクロスする状態で複数枚並設された伝熱フィンと、該伝熱フィンの伝熱面に設けられた切起し片とからなる熱交換器において、上記切起し片の下端部に排水用の水ガイド部を設けることにより、それを排水手段として水の流下を促進するようにした空気調和機用室内機等に適した熱交換器を提供することを目的とするものである。
【課題を解決するための手段】
【００２０】
本願発明は、上記の目的を達成するために、次のような課題解決手段を備えて構成されている。
【００２１】
（１）  請求項１の発明
この発明の熱交換器は、伝熱管と、該伝熱管に対してクロスする状態で複数枚並設された伝熱フィンと、該伝熱フィンの伝熱面に設けられた切起し片とからなる熱交換器であって、上記切起し片の下端部に排水用の水ガイド部を設けたことを特徴としている。
【００２２】
このような構成によれば、凝縮水が、伝熱フィン間、特に伝熱フィンの当該切起し片の下端部分に滞留することなく、それらの下端部に設けられた水ガイド部を介して伝熱フィンの前縁側および後縁側にスムーズに排出され、切起し片部分を通ることなく下方に流下するようになる。
【００２３】
これにより、伝熱フィン表面への環境浮遊物の付着、菌の繁殖、フィンの腐食などを防止することができる。
【００２４】
また、冷房運転中の水はけ性も良好となるため、冷房能力の向上や通風抵抗の低減、および水飛び等の防止が可能となる。
【００２５】
（２）  請求項２の発明
この発明の熱交換器は、上記請求項１の発明の構成において、水ガイド部は、切起し片下端部の直下に沿って伝熱フィンの前縁側および後縁側両方向に延びて設けられていることを特徴としている。
【００２６】
このような構成によれば、凝縮水が、伝熱フィン間、特に伝熱フィンの当該切起し片の下端部分に滞留することなく、それらの下端部直下に沿って伝熱フィンの前縁側および後縁側両方に延びて設けられた水ガイド部を介して伝熱フィンの前縁側および後縁側にスムーズに排出され、切起し片部分を通ることなく下方に流下するようになる。
【００２７】
これにより、伝熱フィン表面への環境浮遊物の付着、菌の繁殖、フィンの腐食などを防止することができる。
【００２８】
また、冷房運転中の水はけ性も良好となるため、冷房能力の向上や通風抵抗の低減、および水飛び等の防止が可能となる。
【００２９】
（３）  請求項３の発明
この発明の熱交換器は、上記請求項１の発明の構成において、水ガイド部は、複数の切起し片の各下端部の両脇部分にあって、複数の切起し片の下端部同士を伝熱フィンの前縁側および後縁側方向に相互に連続させるように設けられていることを特徴としている。
【００３０】
このような構成によれば、凝縮水が、伝熱フィン間、特に伝熱フィンの当該切起し片の下端部分に滞留することなく、それらの下端部間の脇部に設けられた水ガイド部を介して伝熱フィンの前縁側および後縁側にスムーズに排出され、切起し片部分を通ることなく下方に流下するようになる。
【００３１】
これにより、伝熱フィン表面への環境浮遊物の付着、菌の繁殖、フィンの腐食などを防止することができる。
【００３２】
また、冷房運転中の水はけ性も良好となるため、冷房能力の向上や通風抵抗の低減、および水飛び等の防止が可能となる。
【００３３】
（４）  請求項４の発明
この発明の熱交換器は、上記請求項１，２又は３の発明の構成において、伝熱フィンの前縁部又は後縁部もしくはそれらの両縁部にも、上下方向に延びる排水用の水ガイド部を設け、切起し片下端部に設けられた水ガイド部を、同上下方向に延びる水ガイド部に連続させたたことを特徴としている。
【００３４】
このような構成によると、凝縮水が、伝熱フィン間、特に伝熱フィンの当該切起し片の下端部分に滞留することなく、それらの下端部に、または同下端部の直下に沿って設けられた排水用の水ガイド部を介して、または、その両脇部に設けられた排水用の水ガイド部を介して、それぞれスムーズに排出され、伝熱フィンの前縁部又は後縁部もしくはそれらの両縁部に上下方向に延びて設けられた排水用の水ガイドを介して、スムーズに流下せしめられるようになる。
【００３５】
（５）  請求項５の発明
この発明の熱交換器は、上記請求項１，２，３又は４の発明の構成において、排水用の水ガイド部は、伝熱フィンの片面側に設けられていることを特徴としている。
【００３６】
このような構成によると、同伝熱フィンの片面側の排水用の水ガイド部によって上記のようにスムーズに水が排出される。
【００３７】
（６）  請求項６の発明
この発明の熱交換器は、上記請求項１，２，３又は４の発明の構成において、排水用の水ガイド部は、伝熱フィンの両面側に設けられていることを特徴としている。
【００３８】
このような構成によると、同伝熱フィンの両面側の排水用の水ガイド部によって上記のようにスムーズに水が排出される。
【００３９】
（７）  請求項７の発明
この発明の熱交換器は、上記請求項１，２，３，４，５又は６の発明の構成において、水ガイド部は、少なくとも伝熱フィンの一側面側に形成され、毛細管作用により伝熱フィン面の凝縮水を吸引ガイドして重力方向に流下させる凹溝部を有して形成されていることを特徴としている。
【００４０】
このような構成によれば、凝縮水が、伝熱フィン間、特に伝熱フィンの切起し片部分に滞留することなく、毛細管作用を発揮する凹溝を介してスムーズに下方に流下するようになる。
【００４１】
（８）  請求項８の発明
この発明の熱交換器は、上記請求項１，２，３，４，５，６又は７の発明の構成において、水ガイド部は、少なくとも伝熱フィンの一側面側が凹部、他側面側が凸部のリブよりなることを特徴としている。
【００４２】
このような構成によれば、凝縮水が、伝熱フィン間、特に伝熱フィンの切起し片部分に滞留することなく、同一側面側に凹部、他側面側に凸部を有する排水用のリブを介してスムーズに下方に流下するようになる。
【００４３】
これにより、フィン表面への環境浮遊物の付着、菌の繁殖、フィンの腐食などを防止することができる。
【００４４】
また、冷房運転中の水はけ性も良好となるため、冷房能力の向上や通風抵抗の低減、および水飛び等の防止が可能となる。
【００４５】
（９）  請求項９の発明
この発明の熱交換器は、上記請求項１，２，３，４，５，６，７又は８の発明の構成において、切起し片が、スリットであることを特徴としている。
【００４６】
このような構成によれば、凝縮水が、伝熱フィン間、特に伝熱フィンの当該スリットよりなる切起し片部分に滞留することなく、それらの下端部、両脇、上下の各排水用の水ガイドを介してスムーズに下方に流下するようになる。
【００４７】
これにより、フィン表面への環境浮遊物の付着、菌の繁殖、フィンの腐食などを防止することができる。
【００４８】
また、冷房運転中の水はけ性も良好となるため、冷房能力の向上や通風抵抗の低減、および水飛び等の防止が可能となる。
【００４９】
（１０）  請求項１０の発明
この発明の熱交換器は、上記請求項１，２，３，４，５，６，７又は８の発明の構成において、切起し片が、ルーバーであることを特徴としている。
【００５０】
このような構成によれば、凝縮水が、伝熱フィン間、特に伝熱フィンの当該ルーバーよりなる切起し片部分に滞留することなく、それらの下端部、両脇、上下の各排水用の水ガイドを介してスムーズに下方に流下するようになる。
【００５１】
これにより、フィン表面への環境浮遊物の付着、菌の繁殖、フィンの腐食などを防止することができる。
【００５２】
また、冷房運転中の水はけ性も良好となるため、冷房能力の向上や通風抵抗の低減、および水飛び等の防止が可能となる。
【００５３】
（１１）  請求項１１の発明
この発明の熱交換器は、上記請求項１，２，３，４，５，６，７，８，９又は１０の発明の構成において、当該熱交換器が、空気調和機用室内機の熱交換器であることを特徴としている。
【００５４】
以上の各発明の構成の熱交換器によれば、当該熱交換器が伝熱フィン表面に結露が生じやすい空気調和機用室内機の熱交換器であり、同室内機が冷房運転時の場合において、伝熱フィン間および切起し片部分の凝縮水がスムーズに排出される。
【発明の効果】
【００５５】
以上の結果、本願発明によると、伝熱フィン表面への環境浮遊物の付着、菌の繁殖、フィンの腐食などが生ぜず、冷房運転中の水はけ性も良好で、冷房能力向上、通風抵抗の低減、水飛びの防止等が可能な空気調和機用の室内機に適した熱交換器を簡単かつ低コストに提供することができるようになる。
【図面の簡単な説明】
【００５６】
【図１】本願発明の実施の形態１に係る空気熱交換器の構成を示す一部切欠正面図である。
【図２】同空気熱交換器の要部の構成をを示す拡大断面図（図１のＡ−Ａ）である。
【図３】同空気熱交換器の要部の構成を示す一部拡大断面図（図１のＢ−Ｂ）である。
【図４】同空気熱交換器の要部の構成を示す一部拡大断面図（図１のＣ−Ｃ）である。
【図５】同空気熱交換器の要部の構成を示す水平状態での斜視図である。
【図６】同空気熱交換器の要部の構成を示す垂直状態での斜視図である。
【図７】同空気熱交換器のリブ部分の変形例の構成を示す拡大断面図（図１のＡ−Ａに対応）である。
【図８】同空気熱交換器の変形例におけるフィンスリット部のリブの構成を示す一部拡大断面図（図１のＢ−Ｂに対応）である。
【図９】同空気熱交換器の変形例におけるフィンフラット部のリブの構成を示す一部拡大断面図（図１のＣ−Ｃに対応）である。
【図１０】本願発明の実施の形態２に係る空気熱交換器の構成を示す一部切欠正面図である。
【図１１】同空気熱交換器の要部の構成を示す一部拡大断面図（図１０のＢ−Ｂ）である。
【図１２】同空気熱交換器の要部の構成を示す一部拡大断面図（図１０のＣ−Ｃ）である。
【図１３】同空気熱交換器の変形例の構成を示す一部拡大断面図（図１０のＢ−Ｂに対応）である。
【図１４】同空気熱交換器の変形例の構成を示す一部拡大断面図（図１０のＣ−Ｃに対応）である。
【図１５】本願発明の実施の形態３に係る空気熱交換器の構成を示す一部切欠正面図である。
【図１６】同空気熱交換器の要部の構成を示す水平状態での斜視図である。
【図１７】同空気熱交換器の要部の構成を示す垂直状態での斜視図である。
【図１８】本願発明の実施の形態４に係る空気熱交換器の構成を示す一部切欠正面図である。
【図１９】同空気熱交換器の要部の構成を示す水平状態での斜視図である。
【図２０】同空気熱交換器の要部の構成を示す垂直状態での斜視図である。
【図２１】本願発明の実施の形態５に係る空気熱交換器の構成を示す一部切欠正面図である。
【図２２】本願発明の実施の形態６に係る空気熱交換器の構成を示す一部切欠正面図である。
【図２３】本願発明の実施の形態７に係る空気熱交換器の構成を示す一部切欠正面図である。
【図２４】同空気熱交換器の要部の構成を示す水平状態での斜視図である。
【図２５】同空気熱交換器の要部の構成を示す垂直状態での斜視図である。
【図２６】本願発明の実施の形態８に係る空気熱交換器の構成を示す一部切欠正面図である。
【図２７】本願発明の実施の形態９に係る空気熱交換器の構成を示す一部切欠正面図である。
【図２８】同空気熱交換器の要部の構成を示す水平状態での斜視図である。
【図２９】同空気熱交換器の要部の構成を示す垂直状態での斜視図である。
【図３０】本願発明の実施の形態１０に係る空気熱交換器の構成を示す一部切欠正面図である。
【図３１】本願発明の実施の形態１１に係る空気熱交換器の構成を示す一部切欠正面図である。
【図３２】本願発明の実施の形態１２に係る空気熱交換器の構成を示す一部切欠正面図である。
【図３３】本願発明の実施の形態１３に係る空気熱交換器の構成を示す一部切欠正面図である。
【図３４】本願発明の実施の形態１４に係る空気熱交換器の構成を示す一部切欠正面図である。
【図３５】本願発明の実施の形態１５に係る空気熱交換器の構成を示す一部切欠正面図である。
【図３６】本願発明の実施の形態１６に係る空気熱交換器の構成を示す一部切欠正面図である。
【図３７】本願発明の実施の形態１７に係る空気熱交換器の構成を示す一部切欠正面図である。
【図３８】本願発明の実施の形態１８に係る空気熱交換器の構成を示す一部切欠正面図である。
【図３９】本願発明の実施の形態１９に係る空気熱交換器の構成を示す一部切欠正面図である。
【図４０】本願発明の実施の形態２０に係る空気熱交換器の構成を示す一部切欠正面図である。
【図４１】同空気熱交換器の要部の構成を示す断面図（図４０のＡ−Ａ）である。
【図４２】上記各実施形態の空気熱交換器において採用される具体的なリブの構成（ａ）〜（ｆ）の各々を拡大して、その断面形状を示す一部断面図である。
【図４３】従来例に係る空気熱交換器を採用して構成した空気調和機用室内機の全体的な構成を示す断面図である。
【図４４】同従来の空気熱交換器のスリットフィンタイプの構成を示す一部切欠断面図である。
【図４５】同従来の空気熱交換器のスリットフィン上下分割タイプの構成を示す一部切欠断面図である。
【図４６】同従来の空気熱交換器のルーバーフィンタイプの構成を示す一部切欠断面図である。
【符号の説明】
【００５７】
１は空気熱交換器、２は伝熱管、３は伝熱フィン、４ａ〜４ｄはスリット、５，５′，６，７は排水用水ガイド用リブ、１０はルーバーである。
【発明を実施するための形態】
【００５８】
（実施の形態１）
図１〜図６は、本願発明の実施の形態１に係る空気調和機用室内機に適した空気熱交換器の構成を示している。
【００５９】
すなわち、この空気熱交換器１は、図１〜図６に示すように、上下方向に所定の間隔を保って複数本配設された伝熱管２，２・・・と、該伝熱管２，２・・・に対して、その長手方向に所定のピッチを保って多数枚嵌装並設されたプレート状の伝熱フィン３，３・・・と、該伝熱フィン３，３・・・の伝熱面上の上記各伝熱管２，２・・・間の上下スペース領域において前後方向に所定の間隔を保って設けられた４列のスリット（切り起し片）４ａ，４ｂ，４ｃ，４ｄと、上記伝熱フィン３，３・・・の並設方向両端側に設けられた図示しない管板とから構成されている。
【００６０】
この実施の形態の場合、上記上下伝熱管２，２・・・間の上記前後４列の切り起し片４ａ，４ｂ，４ｃ，４ｄは、例えば空気流Ｆの上流側から下流側（図示左側から右側）にかけて、両端側のもの４ａ，４ｄが長く、中間のもの４ｂ，４ｃが短かい構造のものからなり、それらの間の円形スペース部に伝熱管２，２・・・を嵌挿する伝熱管挿通孔を有したフィンカラー３ａ，３ａ・・が配設されている。
【００６１】
そして、同熱交換器１の上記伝熱フィン３，３・・・の各スリット４ａ，４ｂ，４ｃ，４ｄの下端部（直下部）には、上記フィンカラー３ａ，３ａ・・の円弧状の上部を覆って前縁側から後縁側に円弧状に延びる凝縮水排出用の水ガイドリブ（水ガイド部）５が設けられている。
【００６２】
この水ガイドリブ５は、例えば図２（図１のＡ−Ａ断面）、図３（図１のＢ−Ｂ断面）、図４（図１のＣ−Ｃ断面）に示されるように、スリット４ａ〜４ｄを切起した一側面側で凹、その他側面側で凸の断面形状をなし、一側面側凹部の微細な溝形状により、毛細管現象で上方側スリット４ａ〜４ｄ下端内の凝縮水を吸い出し、同凹部の微細な溝を介して伝熱フィン３の両端側、前縁側と後縁側に分流させる働きをする。
【００６３】
また、他側面側では円弧状の凸条部が、円弧状のフィンカラー３ａの上部を覆う縁部となり、同縁部によりスリット４ａ〜４ｄの下端およびスリット４ａ〜４ｄの下端間からの凝縮水を同様に伝熱フィン３の両端側、前縁側と後縁側にガイドして分流させる。
【００６４】
このような構成によれば、図６に示されるように、上記伝熱フィン３，３・・・の表面に生じた凝縮水が上記上下各方向に延びる各スリット４ａ，４ｂ，４ｃ，４ｄの下端に集められた後に、上記水ガイドリブ５を介してスムーズに前縁側および後縁側に分かれて流れ落ちるようになり、同伝熱フィン３，３・・・の前縁部および後縁部を通して途中のスリット４ａ〜４ｄ部分を経由することなく、図示しない下方側のドレンパン内にスムーズに導入されるようになる。
【００６５】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【００６６】
また、冷房運転中の水はけ性も良好となるため、冷房運転時の冷房能力の向上や通風抵抗の低減、および水飛び等の防止が可能となる。
【００６７】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【００６８】
（変形例）
次に図７〜図９は、上記実施の形態１に係る空気熱交換器の変形例の構成を示している。
【００６９】
この変形例では、上記実施の形態１と同様のクロスフィンコイル型空気熱交換器１において、上記リブ５の凹と凸の関係が逆方向となるように構成したことを特徴とするものである。
【００７０】
すなわち、上述の実施の形態１の構成では、スリット４ａ〜４ｄの切り起し面側に凹部、その反対面側に凸部が形成されるように水ガイドリブ５が形成されているが、この変形例の構成では、それとは逆にスリット４ａ〜４ｄの切り起し面側に凸部、その反対面側に凹部が形成されるように水ガイドリブ５を形成している。
【００７１】
このような構成の場合、伝熱フィン３の切り起されたスリット４ａ〜４ｄ裏側の凝縮水が留まっている直近部分に水ガイドリブ５の微細な凹溝が位置することになり、その毛細管作用が作用しやすいので、より凝縮水が流出しやすくなり、凝縮水の排出作用が促進される。
【００７２】
（実施の形態２）
次に図１０〜図１２は、本願発明の実施の形態２に係る空気調和機用室内機に適した空気熱交換器の構成を示している。
【００７３】
この実施の形態では、排水用の水ガイドリブ５を設けた上記実施の形態１と同様のクロスフィンコイル型空気熱交換器において、同排水用の水ガイドリブ５をスリット４ａ〜４ｄの下端部直下ではなくて、スリット４ａ〜４ｄ下端部間の脇部に設け、同排水用の水ガイドリブ５の一側面側に形成される微細な凹溝の毛細管作用により、スリット４ａ〜４ｄ内側の凝縮水を効果的に吸い出し、同凹溝を介して伝熱フィン３の両端、前縁側と後縁側に効率良く分流させるようにしたことを特徴とするものである。
【００７４】
このような構成によれば、上記伝熱フィン３，３・・・の表面に生じた凝縮水が上記上下各方向に延びる各スリット４ａ，４ｂ，４ｃ，４ｄの下端部内側に集められた後に、それらの脇部に設けられた排水用の水ガイドリブ５を介してスムーズに前縁側および後縁側に分かれて流れ落ちるようになり、同伝熱フィン３，３・・・の前縁部および後縁部を通して途中のスリット４ａ〜４ｄ部分を経由することなく、図示しない下方側のドレンパン内にスムーズに導入されるようになる。
【００７５】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【００７６】
また、冷房運転中の水はけ性も良好となるため、冷房運転時の冷房能力の向上や通風抵抗の低減、および水飛び等の防止が可能となる。
【００７７】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【００７８】
（変形例）
次に図１３および図１４は、上記実施の形態２に係る空気熱交換器の変形例の構成を示している。
【００７９】
この変形例では、上記実施の形態１と同様のクロスフィンコイル型空気熱交換器において、上記水ガイドリブ５の凹と凸の関係が逆の方向となるように構成したことを特徴とするものである。
【００８０】
すなわち、上述の実施の形態２の構成では、スリット４ａ〜４ｄの切り起し面側に凹部、その反対面側に凸部が形成されるように水ガイドリブ５が形成されているが、この変形例の構成では、それとは逆にスリット４ａ〜４ｄの切り起し面側に凸部、その反対面側に凹部が形成されるように水ガイドリブ５を形成している。
【００８１】
このような構成の場合、伝熱フィン３の切り起されたスリット４ａ〜４ｄ裏側の凝縮水が留まっている直近部分に水ガイドリブ５の微細な凹溝が位置することになるので、より凝縮水が流出しやすくなり、凝縮水の排出作用が促進される。
【００８２】
（実施の形態３）
次に図１５〜図１７は、本願発明の実施の形態３に係る空気調和機用室内機に適した空気熱交換器の構成を示している。
【００８３】
この実施の形態では、図１５〜図１６に示すように、前後４列のスリット４ａ〜４ｄの内の両端側のもの４ａ，４ｄが上下に分割された上下分割型スリット４ａ，４ａ、４ｄ，４ｄを採用したクロスフィンコイル型空気熱交換器において、上記実施の形態１のものと同様に各スリット４ａ，４ｂ，４ｃ，４ｄの下端部（直下部）には、それらの下方側にあるフィンカラー３ａ，３ａ・・の上部を覆って前縁側から後縁側に円弧状に延びる凝縮水排出ガイド用の毛細管作用を果たす同様の排水用の水ガイドリブ５を設けたことを特徴とするものである。
【００８４】
このような構成によれば、上記伝熱フィン３，３・・・の表面に生じた凝縮水が上記上下方向に延びる各スリット４ａ，４ｂ，４ｃ，４ｄの下端部内側に集められた後に、図１７に示すように、排水用の水ガイドリブ５を介してスムーズに前縁側および後縁側に分かれて流れ落ちるようになり、同伝熱フィン３，３・・・の前縁部および後縁部を通して途中のスリット４ａ〜４ｄ部分を経由することなく、図示しない下方側のドレンパン内にスムーズに導入されるようになる。
【００８５】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【００８６】
また、冷房運転中の水はけ性も良好となるため、冷房運転時の冷房能力の向上や通風抵抗の低減、および水飛び等の防止が可能となる。
【００８７】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【００８８】
なお、この場合にも、上記水ガイドリブ５の凹凸関係は、伝熱フィン３の何れの側が凹であっても構わない。
【００８９】
（実施の形態４）
次に図１８〜図２０は、本願発明の実施の形態４に係る空気調和機用室内機に適した空気熱交換器の構成を示している。
【００９０】
この実施の形態では、図１８〜図２０に示すように、前後４列のスリット４ａ〜４ｄの内の両端側のもの４ａ，４ｄが上下に分割された上下分割型スリット４ａ，４ａ、４ｄ，４ｄを採用した上記実施の形態３と同様のクロスフィンコイル型空気熱交換器において、上記実施の形態２のものと同様に各スリット４ａ，４ｂ，４ｃ，４ｄの下端部間の脇部に、上記フィンカラー３ａ，３ａ・・の上部を覆って前縁側から後縁側に円弧状に延びる凝縮水排出ガイド用の毛細管作用を果たす同様の排水用の水ガイドリブ５を設けたことを特徴とするものである。
【００９１】
このような構成によれば、上記伝熱フィン３，３・・・の表面に生じた凝縮水が上記上下各方向に延びる各スリット４ａ，４ｂ，４ｃ，４ｄの下端部内側に集められた後に、図２０に示すように、脇部の排水用の水ガイドリブ５を介してスムーズに前縁側および後縁側に分かれて流れ落ちるようになり、同伝熱フィン３，３・・・の前縁部および後縁部を通して途中のスリット４ａ〜４ｄ部分を経由することなく、図示しない下方側のドレンパン内にスムーズに導入されるようになる。
【００９２】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【００９３】
また、冷房運転中の水はけ性も良好となるため、冷房運転時の冷房能力の向上や通風抵抗の低減、および水飛び等の防止が可能となる。
【００９４】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【００９５】
なお、この場合にも、上記水ガイドリブ５の凹凸関係は、伝熱フィン３の何れの側が凹であっても構わない。
【００９６】
（実施の形態５）
次に図２１は、本願発明の実施の形態５に係る空気調和機用室内機に適した空気熱交換器の構成を示している。
【００９７】
この実施の形態では、前後４列のスリット４ａ〜４ｄの内の両端側のもの４ａ，４ｄが上下に分割された上下分割型スリット４ａ，４ａ、４ｄ，４ｄを採用した上記実施の形態３，４と同様のクロスフィンコイル型空気熱交換器において、各スリット４ａ，４ｂ，４ｃ，４ｄの下端部間の（直下部）には、上記フィンカラー３ａ，３ａ・・の上部を覆って前縁側から後縁側にへの字状に延びる凝縮水排出ガイド用の毛細管作用を果たす同様の排水用の水ガイドリブ５が設けられている。
【００９８】
このような構成によれば、上記伝熱フィン３，３・・・の表面に生じた凝縮水が上記上下方向に延びるスリット４ａ，４ｂ，４ｃ，４ｄの下端部内側に集められた後に、への字形状の排水用の水ガイドリブ５を介してスムーズに前縁側および後縁側に分かれて流れ落ちるようになり、同伝熱フィン３，３・・・の前縁部および後縁部を通して途中のスリット４ａ〜４ｄ部分を経由することなく、図示しない下方側のドレンパン内にスムーズに導入されるようになる。
【００９９】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【０１００】
また、冷房運転中の水はけ性も良好となるため、冷房運転時の冷房能力の向上や通風抵抗の低減、および水飛び等の防止が可能となる。
【０１０１】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１０２】
なお、この場合にも、上記水ガイドリブ５の凹凸関係は、伝熱フィン３の何れの側が凹であっても構わない。
【０１０３】
（実施の形態６）
次に図２２は、本願発明の実施の形態６に係る空気調和機用室内機に適した空気熱交換器の構成を示している。
【０１０４】
この実施の形態では、上記実施の形態５と同様の分割スリット型で、への字形状の排水用ガイド水ガイドリブ５を備えたクロスフィンコイル型空気熱交換器において、への字形状の排水用ガイド水ガイドリブ５を、前述の実施形態２のもののように各スリット４ａ，４ｂ，４ｃ，４ｄの下端部間脇部に形成したことを特徴とするものである。
【０１０５】
このような構成によれば、上記伝熱フィン３，３・・・の表面に生じた凝縮水が上記上下方向に延びる各スリット４ａ，４ｂ，４ｃ，４ｄの下端部間脇部の水ガイドリブ５を介して集められた後に、同排水用の水ガイドリブ５を介してスムーズに前縁側および後縁側に分かれて流れ落ちるようになり、同伝熱フィン３，３・・・の前縁部および後縁部を通して途中のスリット４ａ〜４ｄ部分を経由することなく、図示しない下方側のドレンパン内にスムーズに導入されるようになる。
【０１０６】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【０１０７】
また、冷房運転中の水はけ性も良好となるため、冷房運転時の冷房能力の向上や通風抵抗の低減、および水飛び等の防止が可能となる。
【０１０８】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１０９】
なお、この場合にも、上記水ガイドリブ５の凹凸関係は、伝熱フィン３の何れの側が凹であっても構わない。
【０１１０】
（実施の形態７）
次に図２３〜図２５は、本願発明の実施の形態７に係る空気調和機用室内機に適した空気熱交換器の構成を示している。
【０１１１】
この実施の形態では、図２３〜図２５に示すように、上記実施の形態３と同様の分割スリット型で、円弧状の排水用ガイド水ガイドリブ５を備えたクロスフィンコイル型空気熱交換器において、同各スリット４ａ〜４ｄ下端の円弧状の排水用水ガイドリブ５に加えて、伝熱フィン３の前後両端側前縁部と後縁部に位置して上端から下端側に延びる第２の排水用ガイドリブ６，６を設け、該第２の排水用水ガイドリブ６，６に上記円弧状の第１の排水用水ガイドリブ５，５の前後両端側を接続することによって、その凹溝部両端側をそれぞれ下方に向けて合流させたことを特徴とするものである。
【０１１２】
このような構成によれば、上記伝熱フィン３，３・・・の表面に生じた凝縮水が上記上下方向に延びる各スリット４ａ，４ｂ，４ｃ，４ｄの下端に集められた後に、図２５に示すように、第１の排水用水ガイドリブ５を介してスムーズに前縁側および後縁側に分かれ、第２の排水用ガイドリブ６，６に合流してスムーズに下方に流れ落ちるようになり、同伝熱フィン３，３・・・の前縁部および後縁部を通して途中のスリット４ａ〜４ｄ部分を経由することなく、図示しない下方側のドレンパン内に一層スムーズに導入されるようになる。
【０１１３】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【０１１４】
また、冷房運転中の水はけ性も良好となるため、冷房運転時の冷房能力の向上や通風抵抗の低減、および水飛び等の防止が可能となる。
【０１１５】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１１６】
なお、この場合にも、上記水ガイドリブ５の凹凸関係は、伝熱フィン３の何れの側が凹であっても構わない。
【０１１７】
（実施の形態８）
次に図２６は、本願発明の実施の形態８に係る空気調和機用室内機に適した空気熱交換器の構成を示している。
【０１１８】
この実施の形態では、図２６に示すように、上記実施の形態５と同様の分割スリット型で、への字形状の排水用水ガイドリブ５を備えたクロスフィンコイル型空気熱交換器において、同各スリット４ａ〜４ｄ下端のへの字形状第１の排水用水ガイドリブ５に加えて、伝熱フィン３の前後両端側前縁部と後縁部に、実施の形態７と同様の上端から下端側に延びるストレートな第２の排水用水ガイドリブ６，６を設け、該第２の排水用水ガイドリブ６，６に上記への字形状の第１の排水用水ガイドリブ５，５の前後両端を接続することによって、その凹溝部両端側を下方に向けて合流させたことを特徴とするものである。
【０１１９】
このような構成によれば、上記伝熱フィン３，３・・・の表面に生じた凝縮水が上記上下方向に延びる各スリット４ａ，４ｂ，４ｃ，４ｄの下端に集められた後に、第１の排水用水ガイドリブ５を介してスムーズに前縁側および後縁側に分かれ、第２の排水用水ガイドリブ６，６に合流してスムーズに下方に流れ落ちるようになり、同伝熱フィン３，３・・・の前縁部および後縁部を通して途中のスリット４ａ〜４ｄ部分を経由することなく、図示しない下方側のドレンパン内に一層スムーズに導入されるようになる。
【０１２０】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【０１２１】
また、冷房運転中の水はけ性も良好となるため、冷房運転時の冷房能力の向上や通風抵抗の低減、および水飛び等の防止が可能となる。
【０１２２】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１２３】
なお、この場合にも、上記水ガイドリブ５の凹凸関係は、伝熱フィン３の何れの側が凹であっても構わない。
【０１２４】
（実施の形態９）
次に図２７〜図２９は、本願発明の実施の形態９に係る空気調和機用室内機に適した空気熱交換器の構成を示している。
【０１２５】
この実施の形態では、図２７〜図２９に示すように、上記実施の形態４と同様の分割スリット型で、脇部に円弧状の排水用水ガイドリブ５を備えたクロスフィンコイル型空気熱交換器において、同各スリット４ａ〜４ｄ下端の円弧状の状第１の排水用水ガイドリブ５に加えて、伝熱フィン３の前後両端側前縁部と後縁部に、上記実施の形態７と同様の上端から下端側に延びるストレートな第２の排水用水ガイドリブ６，６を設け、該第２の排水用水ガイドリブ６，６に上記円弧状の第１の排水用水ガイドリブ５，５の前後両端側を接続することによって、その凹溝部を下方に向けて合流させたことを特徴とするものである。
【０１２６】
このような構成によれば、上記伝熱フィン３，３・・・の表面に生じた凝縮水が上記上下方向に延びる各スリット４ａ，４ｂ，４ｃ，４ｄの下端に集められた後に、図２９に示すように、第１の排水用水ガイドリブ５を介してスムーズに前縁側および後縁側に分かれ、第２の排水用水ガイドリブ６，６に合流してスムーズに下方に流れ落ちるようになり、同伝熱フィン３，３・・・の前縁部および後縁部を通して途中のスリット４ａ〜４ｄ部分を経由することなく、図示しない下方側のドレンパン内に一層スムーズに導入されるようになる。
【０１２７】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【０１２８】
また、冷房運転中の水はけ性も良好となるため、冷房運転時の冷房能力の向上や通風抵抗の低減、および水飛び等の防止が可能となる。
【０１２９】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１３０】
なお、この場合にも、上記水ガイドリブ５，６，６の凹凸関係は、伝熱フィン３の何れの側が凹であっても構わない。
【０１３１】
（実施の形態１０）
次に図３０は、本願発明の実施の形態１０に係る空気調和機用室内機に適した空気熱交換器の構成を示している。
【０１３２】
この実施の形態では、上記実施の形態６と同様の分割スリット型で、への字形状（傘状）の排水用水ガイドリブ５を備えたクロスフィンコイル型空気熱交換器において、同各スリット４ａ〜４ｄ下端側脇部のへの字形状第１の排水用水ガイドリブ５に加えて、さらに伝熱フィン３の前後両端側前縁部と後縁部に、実施の形態７と同様の上端から下端側に延びるストレートな第２の排水用水ガイドリブ６，６を設け、該第２の排水用水ガイドリブ６，６に上記への字形状の第１の排水用水ガイドリブ５，５の前後両端側を接続することによって、その凹溝部両端側を下方に向けて合流させたことを特徴とするものである。
【０１３３】
このような構成によれば、上記伝熱フィン３，３・・・の表面に生じた凝縮水が上記上下方向に延びる各スリット４ａ，４ｂ，４ｃ，４ｄの下端に集められた後に、第１の排水用水ガイドリブ５を介してスムーズに前縁側および後縁側に分かれ、第２の排水用水ガイドリブ６，６に合流してスムーズに下方に流れ落ちるようになり、同伝熱フィン３，３・・・の前縁部および後縁部を通して途中のスリット４ａ〜４ｄ部分を経由することなく、図示しない下方側のドレンパン内に一層スムーズに導入されるようになる。
【０１３４】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【０１３５】
また、冷房運転中の水はけ性も良好となるため、冷房運転時の冷房能力の向上や通風抵抗の低減、および水飛び等の防止が可能となる。
【０１３６】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１３７】
なお、この場合にも、上記水ガイドリブ５，６，６の凹凸関係は、伝熱フィン３の何れの側が凹であっても構わない。
【０１３８】
（実施の形態１１）
次に図３１は、本願発明の実施の形態１１に係る空気調和機用室内機に適した空気熱交換器の構成を示している。
【０１３９】
この実施の形態では、図３１に示すように、上記実施の形態７と同様の第１，第２の排水用水ガイドリブ５，６，６を備えたクロスフィンコイル型空気熱交換器において、さらに円弧状の第１の排水用水ガイドリブ５の中央部（頂部）から、２列目、３列目のスリット４ｂ，４ｃ間上方のフィンカラー３ａの下端に向けてストレートに延びる第３の排水用水ガイドリブ７を設けたことを特徴とするものである。
【０１４０】
このような構成によると、上述した実施の形態７と同様の作用効果に加えて、さらに上段側伝熱管２のフィンカラー３ａ部下端からの凝縮水が、上記新たに追加されたスリット４ｂ，４ｃ間の第３の排水用水ガイドリブ７により吸い込まれて円弧状の第１の排水用水ガイドリブ５部分に効率良く集められ、同円弧状の第１の排水用水ガイドリブ５を介して伝熱フィン３両端側の第２の排水用水ガイドリブ６，６にスムーズに合流せしめられ、同第２の排水用水ガイドリブ６，６を介してフィン下方側のドレンパンにスムーズに流下せしめられる。
【０１４１】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【０１４２】
また、冷房運転中の水はけ性も良好となるため、冷房運転時の冷房能力の向上や通風抵抗の低減、および水飛び等の防止が可能となる。
【０１４３】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１４４】
なお、この場合にも、上記水ガイドリブ５，６，６，７の凹凸関係は、伝熱フィン３の何れの側が凹であっても構わない。
【０１４５】
（実施の形態１２）
次に図３２は、本願発明の実施の形態１２に係る空気調和機用室内機に適した空気熱交換器の構成を示している。
【０１４６】
この実施の形態では、図３２に示すように、上記実施の形態８と同様の第１，第２の排水用水ガイドリブ５，６，６を備えたクロスフィンコイル型空気熱交換器において、さらに左右各辺の長さが等しいへの字形状（傘状）の第１の排水用水ガイドリブ５の中央部（頂部）から、２列目、３列目のスリット４ｂ，４ｃ間上方のフィンカラー３ａの下端に向けてストレートに延びる第３の排水用水ガイドリブ７を設けたことを特徴とするものである。
【０１４７】
このような構成によると、上述した実施の形態８と同様の作用効果に加えて、さらに上段側伝熱管２のフィンカラー３ａ部下端からの凝縮水が、上記新たに追加されたスリット４ｂ，４ｃ間の第３の排水用水ガイドリブ７により吸い込まれてへの字形の第１の排水用水ガイドリブ５部分に効率良く集められ、同第１の排水用水ガイドリブ５を介して伝熱フィン３両端側の第２の排水用水ガイドリブ６，６部分にスムーズに合流せしめられ、同第２の排水用水ガイドリブ６，６を介してスムーズに伝熱フィン３，３・・・下方側のドレンパン内にスムーズに流下せしめられる。
【０１４８】
したがって、従来のような上記伝熱フィン３，３・・・途中のフィン面間はもちろん、スリット４ａ，４ｂ，４ｃ，４ｄの上下各端面部分に滞留する凝縮水がなくなり、フィン表面への環境浮遊物の付着、菌の繁殖、フィンの腐食などを防止することができる。
【０１４９】
また、冷房運転中の水はけ性も良好となるため、冷房運転時の冷房能力の向上や通風抵抗の低減、および水飛び等の防止が可能となる。
【０１５０】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１５１】
なお、この場合にも、上記水ガイドリブ５，６，６，７の凹凸関係は、伝熱フィン３の何れの側が凹であっても構わない。
【０１５２】
（実施の形態１３）
次に図３３は、本願発明の実施の形態１３に係る空気調和機用室内機に適した空気熱交換器の構成を示している。
【０１５３】
この実施の形態では、上記実施の形態９と同様の第１，第２の排水用水ガイドリブ５，６，６を備えたクロスフィンコイル型空気熱交換器において、さらに円弧状の第１の排水用水ガイドリブ５の中央部（頂部）から、２列目、３列目のスリット４ｂ，４ｃ間上方のフィンカラー３ａ下端に向けてストレートに延びる第３の排水用水ガイドリブ７を設けたことを特徴とするものである。
【０１５４】
このような構成によると、上述した実施の形態９と同様の作用効果に加えて、さらに上段側伝熱管２のフィンカラー３ａ部下端からの凝縮水が、上記新たに追加された第３の排水用水ガイドリブ７により吸い込まれて円弧状の第１の排水用水ガイドリブ５部分に効率良く集められ、同円弧状の第１の排水用水ガイドリブ５を介して伝熱フィン３両端側の第２の排水用水ガイドリブ６，６部分に合流せしめられ、同第２の排水用水ガイドリブ６，６を介して伝熱フィン３，３・・・下方側のドレンパン内にスムーズに流下せしめられる。
【０１５５】
したがって、従来のような上記伝熱フィン３，３・・・途中のフィン面間はもちろん、スリット４ａ，４ｂ，４ｃ，４ｄの上下各端面およびフィンカラー３ａ，３ａ・・部分に滞留する凝縮水がなくなり、フィン表面への環境浮遊物の付着、菌の繁殖、フィンの腐食などを防止することができる。
【０１５６】
また、冷房運転中の水はけ性も良好となるため、冷房運転時の冷房能力の向上や通風抵抗の低減、および水飛び等の防止が可能となる。
【０１５７】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１５８】
なお、この場合にも、上記水ガイドリブ５，６，６，７の凹凸関係は、伝熱フィン３の何れの側が凹であっても構わない。
【０１５９】
（実施の形態１４）
次に図３４は、本願発明の実施の形態１４に係る空気調和機用室内機に適した空気熱交換器の構成を示している。
【０１６０】
この実施の形態では、上記実施の形態１０と同様の第１，第２の排水用水ガイドリブ５，６，６を備えたクロスフィンコイル型空気熱交換器において、さらにへの字形状の第１の排水用水ガイドリブ５の中央部（頂部）から、２列目、３列目のスリット４ｂ，４ｃ間上方のフィンカラー３ａ下端に向けてストレートに延びる第３の排水用水ガイドリブ７を設けたことを特徴とするものである。
【０１６１】
このような構成によると、上述した実施の形態１０と同様の作用効果に加えて、さらに上段側伝熱管２のフィンカラー３ａ下端からの凝縮水が、上記新たに追加された第３の排水用水ガイドリブ７により吸い込まれてへの字形状の第１の排水用水ガイドリブ５部分に効率良く集められ、同への字形状の第１の排水用水ガイドリブ５を介して伝熱フィン３両端側の第２の排水用水ガイドリブ６，６に合流せしめられ、同第２の排水用水ガイドリブ６，６を介して伝熱フィン３，３・・・下方側のドレンパン内にスムーズに流下せしめられる。
【０１６２】
したがって、従来のような上記伝熱フィン３，３・・・途中のフィン面間はもちろん、スリット４ａ，４ｂ，４ｃ，４ｄの上下各端面およびフィンカラー３ａ，３ａ・・の下端部分に滞留する凝縮水がなくなり、フィン表面への環境浮遊物の付着、菌の繁殖、フィンの腐食などを防止することができる。
【０１６３】
また、冷房運転中の水はけ性も良好となるため、冷房運転時の冷房能力の向上や通風抵抗の低減、および水飛び等の防止が可能となる。
【０１６４】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１６５】
なお、この場合にも、上記水ガイドリブ５，６，６，７の凹凸関係は、伝熱フィン３の何れの側が凹であっても構わない。
【０１６６】
（実施の形態１５）
次に図３５は、本願発明の実施の形態１５に係る空気調和機用室内機に適した空気熱交換器の構成を示している。
【０１６７】
この実施の形態では、上記実施の形態１１と同様の第１〜第３の排水用水ガイドリブ５，６，６，７を備えたクロスフィンコイル型空気熱交換器において、さらに各スリット４ａ〜４ｄの上端部（直上部）の各々を逆円弧状にカバーする第４の排水用水ガイドリブ５′を追加し、より確実にフィンカラー３ａ下端部の凝縮水を第３の排水用水ガイドリブ７に集めやすくし、殆んど各スリット４ａ〜４ｄ内に凝縮水が流入しないようにしたことを特徴とするものである。
【０１６８】
その他の構成は、全て上述の実施の形態１１のものと同様であり、同様の作用効果を奏する。
【０１６９】
（実施の形態１６）
次に図３６は、本願発明の実施の形態１６に係る空気調和機用室内機に適した空気熱交換器の構成を示している。
【０１７０】
この実施の形態では、上記実施の形態１２と同様の第１〜第３の排水用水ガイドリブ５，６，６，７を備えたクロスフィンコイル型空気熱交換器において、さらに各スリット４ａ〜４ｄの上端部（直上部）の各々を逆への字形状にカバーする第４の排水用水ガイドリブ５′を追加し、より確実にフィンカラー３ａ下端部の凝縮水を第３の排水用水ガイドリブ７に集めやすくし、殆んど各スリット４ａ〜４ｄ内に凝縮水が流入しないようにしたことを特徴とするものである。
【０１７１】
その他の構成は、全て上述の実施の形態１２のものと同様であり、同様の作用効果を奏する。
【０１７２】
（実施の形態１７）
次に図３７は、本願発明の実施の形態１７に係る空気調和機用室内機に適した空気熱交換器の構成を示している。
【０１７３】
この実施の形態では、上記実施の形態１３と同様の第１〜第３の排水用水ガイドリブ５，６，６，７を備えたクロスフィンコイル型空気熱交換器において、さらに各スリット４ａ〜４ｄの上端部の各々の脇部を逆円弧状にカバーする第４の排水用水ガイドリブ５′を追加し、より確実にフィンカラー３ａ下端部の凝縮水を第３の排水用水ガイドリブ７に集めやすくし、殆んど各スリット４ａ〜４ｄ内に凝縮水が流入しないようにしたことを特徴とするものである。
【０１７４】
その他の構成は、全て上述の実施の形態１３のものと同様であり、同様の作用効果を奏する。
【０１７５】
（実施の形態１８）
次に図３８は、本願発明の実施の形態１８に係る空気調和機用室内機に適した空気熱交換器の構成を示している。
【０１７６】
この実施の形態では、上記実施の形態１４と同様の第１〜第３の排水用水ガイドリブ５，６，６，７を備えたクロスフィンコイル型空気熱交換器において、さらに各スリット４ａ〜４ｄの上端部の各々の脇部を逆への字形状にカバーする第４の排水用水ガイドリブ５′を追加し、より確実にフィンカラー３ａ下端部の凝縮水を第３の排水用水ガイドリブ７に集めやすくし、殆んど各スリット４ａ〜４ｄ内に凝縮水が流入しないようにしたことを特徴とするものである。
【０１７７】
その他の構成は、全て上述の実施の形態１４のものと同様であり、同様の作用効果を奏する。
【０１７８】
（実施の形態１９）
次に図３９は、本願発明の実施の形態１９に係る空気調和機用室内機に適した空気熱交換器の構成を示している。
【０１７９】
この実施の形態では、上記実施の形態４と同様の各スリット４ａ〜４ｄの下端側脇部に円弧状の第１の排水用水ガイドリブ５を設けたクロスフィンコイル型空気熱交換器において、さらに各スリット４ａ〜４ｄの上端部の各々を図示のような形で円弧状にカバーする第２の排水用水ガイドリブ５′を追加し、分割型スリット４ａ，４ａ，４ｂ，４ｃ，４ｄ，４ｄ上部側のものの水の排出を促進するとともに、フィンカラー３ａ下端部からの凝縮水がスリット４ａ〜４ｄ内に流入しにくくしたことを特徴とするものである。
【０１８０】
その他の構成は、全て上述の実施の形態２のものと同様であり、同様の作用効果を奏する。
【０１８１】
なお、この場合にも、上記排水用水ガイドリブ５の凹凸関係は、上記伝熱フィン３の何れの側が凹であっても構わない。
【０１８２】
（実施の形態２０）
次に図４０および図４１は、本願発明の実施の形態２０に係る空気調和機用室内機に適した空気熱交換器の構成を示している。
【０１８３】
この実施の形態では、上述した各実施の形態の切り起し片を上述のスリット４ａ〜４ｄに変えて、例えば図３５のような複数列のルーバー１０により形成したクロスフィンコイル型空気熱交換器において、同ルーバー１０の下端部直下に上述の実施の形態１のものと同様の円弧状の排水用水ガイドリブ５を設けたことを特徴としている。
【０１８４】
このような構成によると、上述した実施の形態１の場合と同様に、ルーバー１０下端の凝縮水が、上記排水用水ガイドリブ５の微細な凹溝部に吸い込まれて同水ガイドリブ５部分に効率良く集められ、同円弧状の水ガイドリブ５を介して伝熱フィン３両端の前縁側および後縁側に効率良く分流され、同伝熱フィン３の前縁部と後縁部を介して伝熱フィン３，３・・・下方側のドレンパン内にスムーズに流下せしめられる。
【０１８５】
したがって、従来のような上記伝熱フィン３，３・・・途中のフィン面間はもちろん、ルーバー１０の上下各端面部分に滞留する凝縮水がなくなり、フィン表面への環境浮遊物の付着、菌の繁殖、フィンの腐食などを防止することができる。
【０１８６】
また、冷房運転中の水はけ性も良好となるため、冷房運転時の冷房能力の向上や通風抵抗の低減、および水飛び等の防止が可能となる。
【０１８７】
その結果、同構成によると、フィン表面への環境浮遊物の付着、菌の繁殖、フィンの腐食などが生ぜず、冷房運転中の水はけ性も良好で、冷房運転時の冷房能力の向上、通風抵抗の低減、水飛びの防止が可能な空気調和機用の室内機に適したクロスフィンコイル型の空気熱交換器を簡単かつ低コストに提供することができるようになる。
【０１８８】
なお、この場合にも、上記水ガイドリブ５の凹凸関係は、伝熱フィン３の何れの側が凹であっても構わない。
【０１８９】
（実施例）
次に図４２（ａ）〜（ｆ）は、上述した本願発明の各実施の形態において採用される水ガイドリブ５〜７の基本的な断面構成を示している。
【０１９０】
上述したように上記排水用の水ガイドリブ５，５′〜７は、伝熱フィン３の何れか一側面側で凹、他側面側で凸の断面凹凸構造に形成される。そして、その断面形状は、例えば図３８（ａ）のような断面円弧形状、図３８（ｂ）のような断面Ｖ字形状、図３８（ｃ）のような断面台形状等の各種の凹凸形状が採用される。
【０１９１】
しかし、これら各形状は、必ずしも一側面で凹、他側面側で凸の単純な形状だけでなく、例えば図３８（ｄ）〜（ｆ）に示すように、伝熱フィン３の一側面側および他側面側の両方に各々凹凸形状を有する複合的な凹凸断面形状に構成することもできる。
【０１９２】
このような構成にした場合、伝熱フィン３の両面側に凝縮水吸込ガイド効果の高い凹溝部が形成されるので、排水効果が一層向上する。また、伝熱フィン３のフィン面の補強効果も高くなる。
【図１】
2010255974.tif 000003
【図２】
2010255974.tif 000004
【図３】
2010255974.tif 000005
【図４】
2010255974.tif 000006
【図５】
2010255974.tif 000007
【図６】
2010255974.tif 000008
【図７】
2010255974.tif 000009
【図８】
2010255974.tif 000010
【図９】
2010255974.tif 000011
【図１０】
2010255974.tif 000012
【図１１】
2010255974.tif 000013
【図１２】
2010255974.tif 000014
【図１３】
2010255974.tif 000015
【図１４】
2010255974.tif 000016
【図１５】
2010255974.tif 000017
【図１６】
2010255974.tif 000018
【図１７】
2010255974.tif 000019
【図１８】
2010255974.tif 000020
【図１９】
2010255974.tif 000021
【図２０】
2010255974.tif 000022
【図２１】
2010255974.tif 000023
【図２２】
2010255974.tif 000024
【図２３】
2010255974.tif 000025
【図２４】
2010255974.tif 000026
【図２５】
2010255974.tif 000027
【図２６】
2010255974.tif 000028
【図２７】
2010255974.tif 000029
【図２８】
2010255974.tif 000030
【図２９】
2010255974.tif 000031
【図３０】
2010255974.tif 000032
【図３１】
2010255974.tif 000033
【図３２】
2010255974.tif 000034
【図３３】
2010255974.tif 000035
【図３４】
2010255974.tif 000036
【図３５】
2010255974.tif 000037
【図３６】
2010255974.tif 000038
【図３７】
2010255974.tif 000039
【図３８】
2010255974.tif 000040
【図３９】
2010255974.tif 000041
【図４０】
2010255974.tif 000042
【図４１】
2010255974.tif 000043
【図４２】
2010255974.tif 000044
【図４３】
2010255974.tif 000045
【図４４】
2010255974.tif 000046
【図４５】
2010255974.tif 000047
【図４６】
2010255974.tif 000048